【手続補正書】
【提出日】平成20年8月15日(2008.8.15)
【手続補正１】
【補正対象書類名】明細書
【補正対象項目名】特許請求の範囲
【補正方法】変更
【補正の内容】
【特許請求の範囲】
【請求項１】
無線通信システムにおいて信号を送信する方法であって、
複数のアンテナ経路に沿って信号を分割するステップであって、該信号は複数の位置を含み、該複数の位置の各々はサンプルを含む、ステップと、
１つのアンテナ経路の信号を受信するステップと、
所定数の位置だけ前記信号のサンプルをシフトするステップであって、該シフトにより前記信号の中の前記複数の位置を越えるサンプルは前記信号の先頭または末尾の複数の位置にシフトされる、ステップと、
前記信号の末尾の複数のサンプルを保護区間に含めるステップと、
前記信号と前記保護区間とを送信するステップと、
を含むことを特徴とする方法。
【請求項２】
前記所定数の位置は、アンテナ経路の数に対する前記アンテナ経路の位置に対応することを特徴とする請求項１に記載の方法。
【請求項３】
前記所定数の位置は、前記信号が再送信されているか否かに関連することを特徴とする請求項１に記載の方法。
【請求項４】
前記サンプルは、前記信号の末尾の方向へシフトされ、該シフトにより前記信号の末尾の位置を越えるサンプルは前記信号の先頭にシフトされることを特徴とする請求項１に記載の方法。
【請求項５】
前記サンプルは、前記信号の先頭の方向へシフトされ、該シフトにより前記信号の先頭の位置を越えるサンプルは前記信号の末尾にシフトされることを特徴とする請求項１に記載の方法。
【請求項６】
前記信号は、直交周波数分割多重化シンボルであることを特徴とする請求項１に記載の方法。
【請求項７】
他のアンテナ経路の信号を受信するステップと、
他の所定数の位置だけ前記他のアンテナ経路の信号のサンプルをシフトするステップと、
を更に含み、
前記所定数の位置と前記他の所定数の位置とは異なることを特徴とする請求項１に記載の方法。
【請求項８】
符号化シンボルの形成のために、誤り保護符号化を前記信号に適用するステップと、
インタリーブ解除の後に相関が最低となる副搬送波のシンボルが互いに隣接した位置に配置されるように、前記シンボルをインタリーブするステップと、
結果として生じる信号を形成するために、前記インタリーブされた符号化シンボルに対し逆高速フーリエ変換を実行するステップと、
前記結果として生じる信号を前記アンテナ経路の各々に提供するステップと、
を更に含むことを特徴とする請求項１に記載の方法。
【請求項９】
前記信号に対し逆高速フーリエ変換を実行するステップと、
アンテナ経路の各々の信号を減衰させるステップと、
を更に含むことを特徴とする請求項１に記載の方法。
【請求項１０】
前記保護区間に含められる前記複数のサンプルは前記信号の末尾から取り出され、前記保護区間は前記信号の先頭に付加されることを特徴とする請求項１に記載の方法。
【請求項１１】
前記保護区間に含められる前記複数のサンプルは前記信号の先頭から取り出され、前記保護区間は前記信号の末尾に付加されることを特徴とする請求項１に記載の方法。
【請求項１２】
信号を送信するための装置であって、
送信される信号を受信する入力部であって、該信号は複数の位置を含み、該複数の位置の各々はサンプルを含む、入力部と、
第１のアンテナ経路と、
所定数の位置だけ前記信号のサンプルをシフトする第２のアンテナ経路と、
含み、前記シフトにより前記信号の中の前記複数の位置を越える前記所定数の位置のサンプルは前記信号の先頭または末尾にシフトされることを特徴とする装置。
【請求項１３】
他の所定数の位置だけ前記信号のサンプルをシフトする第３のアンテナ経路をさらに含み、前記シフトにより前記信号の中の前記複数の位置を越える前記他の所定数の位置のサンプルは前記信号の先頭または末尾の複数の位置にシフトされることを特徴とする請求項１２に記載の装置。
【請求項１４】
前記所定数の位置は、前記第１及び第３のアンテナ経路に対する前記第２のアンテナ経路の位置に対応し、前記他の所定数の位置は、前記第１及び第２のアンテナ経路に対する前記第３のアンテナ経路の位置に対応することを特徴とする請求項１３に記載の装置。
【請求項１５】
前記サンプルは、前記信号の末尾の方向へシフトされ、該シフトにより前記信号の末尾の位置を越えるサンプルは前記信号の先頭にシフトされることを特徴とする請求項１２に記載の装置。
【請求項１６】
前記サンプルは、前記信号の先頭の方向へシフトされ、該シフトにより前記信号の先頭の位置を越えるサンプルは前記信号の末尾にシフトされることを特徴とする請求項１２に記載の装置。
【請求項１７】
誤り訂正符号を信号に適用する手段と、
インタリーバと、
を更に含むことを特徴とする請求項１２に記載の装置。
【請求項１８】
前記第１及び第２のアンテナ経路は、各々のアンテナ経路から前記信号を送信する前に、各々のアンテナ経路の信号に対し保護区間を追加する手段を含むことを特徴とする請求項１２に記載の装置。
【請求項１９】
前記保護区間は、前記信号の先頭に追加されることを特徴とする請求項１８に記載の装置。
【請求項２０】
前記保護区間は、前記信号の末尾に追加されることを特徴とする請求項１８に記載の装置。
【請求項２１】
無線通信システムであって、
送信機であって、
送信される信号を受信する入力部であって、該信号は複数の位置を含み、該複数の位置の各々はサンプルを含む、入力部と、
第１のアンテナ経路と、
所定数の位置だけ前記信号のサンプルをシフトする第２のアンテナ経路であって、前記シフトにより前記信号の中の前記複数の位置を越える前記所定数の位置のサンプルは前記信号の先頭または末尾にシフトされる、第２のアンテナ経路と、
を含む送信機と、
受信機であって、第１及び第２のアンテナ経路を含み、該第１及び第２のアンテナ経路で受信された信号を使用して信号品質を向上する合成を実行する、受信機と、
を含むことを特徴とする無線通信システム。
【請求項２２】
前記サンプルは、前記信号の末尾の方向へシフトされ、該シフトにより前記信号の末尾の位置を越えるサンプルは前記信号の先頭にシフトされることを特徴とする請求項２１に記載の無線通信システム。
【請求項２３】
前記サンプルは、前記信号の先頭の方向へシフトされ、該シフトにより前記信号の先頭の位置を越えるサンプルは前記信号の末尾にシフトされることを特徴とする請求項２１に記載の無線通信システム。
【請求項２４】
前記送信機は、
逆高速フーリエ変換を実行する手段と、
各々のアンテナ経路において前記信号に接頭語を追加する手段と、
を更に含み、
前記受信機は、
前記接頭語を除去する手段と、
高速フーリエ変換を実行する手段と、
を更に含むことを特徴とする請求項２１に記載の無線通信システム。
【請求項２５】
前記送信機は、
符号化シンボルの形成のために、誤り保護符号化を前記信号に適用する手段と、
符号化シンボルをインタリーブする手段と、
を更に含み、
前記受信機は、
副搬送波からの受信されたシンボルをインタリーブ解除する手段と、
前記インタリーブ解除されたシンボルを複号する手段と、
を更に含み、
前記符号化シンボルは、インタリーブ解除の後に相関が最低となるシンボルが互いに隣接した位置に配置されるようにインタリーブされることを特徴とする請求項２１に記載の無線通信システム。
【請求項２６】
前記信号品質を向上する合成は最大比合成であることを特徴とする請求項２１に記載の無線通信システム。